(57)【特許請求の範囲】
【請求項１】
架台の上面と、この架台に設けた側面板の側面がほぼＬ字形状で、前記架台に設けた横ガイドと、前記側面板の側面に設けた縦ガイドと、前記側面板に設けた固定冶具を備え、一方の縦の枠材が、相対向した２つの内面における少なくとも一方に係止突部を有した被支持溝を有した建具体を載置するパレット装置であって、
前記横ガイドは、上向き溝部を側面板の長手方向に沿って間隔を置いて複数有し、この上向き溝部は前記建具体の下の枠材が嵌り合うものとし、
前記縦ガイドは横ガイドの各上向き溝部とそれぞれ側面板の長手方向にほぼ同一位置とした複数の横向き溝部を有し、
前記固定冶具は、前記各横向き溝部の溝幅中心に位置としてそれぞれ設けられ、幅広部を有したフックを備え、このフックを側面板に、その幅広部が一方の縦の枠材の被支持溝内に挿入、抜き出し可能な第１の姿勢と、その幅広部が被支持溝内に挿入し、かつ被支持溝の係止突部に係止して建具体を側面板に対して動かないように支持する第２の姿勢とに亘って回転移動できるように取付け、
前記縦ガイドは、この横向き溝部に一方の縦の枠材が押しつけられることで弾性変形し、その弾性復元力でフックの幅広部が前記被支持溝の係止突部に押しつけられるようにしたことを特徴とするパレット装置。
【請求項２】
上向き溝部と横向き溝部をほぼＶ字形状とした請求項１記載のパレット装置。
【請求項３】
フックが第２の姿勢の時に、その幅広部が一方の縦の枠材の被支持溝の２つの内面に接して第２の姿勢で保持するようにした請求項１又は２記載のパレット装置。
【発明の詳細な説明】
【技術分野】
【０００１】
本発明は、網戸、障子、ドアなどの枠材を方形状に連結した枠体にパネル体を装着した建具体を、車両の荷台に積載して輸送する際等に用いるパレット装置に関する。
【背景技術】
【０００２】
組立工場などで枠材を方形状に連結して枠体とし、その枠体に防虫網、ガラスなどのパネル体を装着して建具体を組立てる。
この組立した建具体を車両の荷台に積載して施工現場などに輸送する際に、その建具体が損傷しないようにすることが重要である。
例えば、建具体を横向き姿勢として車両の荷台に重ね合せて積載すると、建具体の重量などで損傷することがある。
【０００３】
一方、特許文献１には板ガラスを縦向き姿勢として載置できる板ガラス用のパレット装置が開示されている。
このパレット装置は、架台に受け枠を設けると共に、一対のアームを揺動自在に設け、その受け枠上に板ガラスを縦向き姿勢で載置すると共に、一対のアームをテンション部材で揺動して押圧部材を板ガラスの両側部に押しつけて板ガラスが倒れないように支持することで、板ガラスを架台に縦向き姿勢で載置できるようにしてある。
前述のパレット装置を用いれば、建具体を縦向き姿勢で載置することが可能である。
【特許文献１】実開昭６２−９９５７６号公報
【発明の開示】
【発明が解決しようとする課題】
【０００４】
前述した従来のパレット装置は、一対のアームに設けた押圧部材を板ガラスの両側部に押しつけて支持するので、同一大きさの板ガラスであれば複数の板ガラスを同時に支持して載置できるが、異なる大きさの板ガラスを押圧部材で同時に押しつけて支持できないから、大きさの異なる建具体を載置できない。
また、建具体の枠材は側部にヒレ片を有することがあり、建具体の両側部に押圧部材を押しつけることで、そのヒレ片が変形することがある。
また、押圧部材を押しつけた部分に傷が発生すると、その傷が見えるので、押圧部材の押しつけによって傷が発生しないようにしなければならない。
また、前述した従来のパレット装置は、一対のアームと、各アームに設けた押圧部材と、各アームを揺動するテンション部材を備え、それらが見えるので外観の見栄えが悪いし、部品点数が多く組立作業性が悪い。
【０００５】
本発明の目的は、大きさの異なる建具体を縦向き姿勢で載置できること、建具体の枠材を変形しないこと、枠材の被支持部に傷が発生することを心配しなくても良いこと、外観の見栄えが良いこと、組立作業性が良いことを満足したパレット装置とすることである。
【課題を解決するための手段】
【０００６】
本発明は、架台の上面と、この架台に設けた側面板の側面がほぼＬ字形状で、前記架台に設けた横ガイドと、前記側面板の側面に設けた縦ガイドと、前記側面板に設けた固定冶具を備え、一方の縦の枠材が、相対向した２つの内面における少なくとも一方に係止突部を有した被支持溝を有した建具体を載置するパレット装置であって、
前記横ガイドは、上向き溝部を側面板の長手方向に沿って間隔を置いて複数有し、この上向き溝部は前記建具体の下の枠材が嵌り合うものとし、
前記縦ガイドは横ガイドの各上向き溝部とそれぞれ側面板の長手方向にほぼ同一位置とした複数の横向き溝部を有し、
前記固定冶具は、前記各横向き溝部の溝幅中心に位置としてそれぞれ設けられ、幅広部を有したフックを備え、このフックを側面板に、その幅広部が一方の縦の枠材の被支持溝内に挿入、抜き出し可能な第１の姿勢と、その幅広部が被支持溝内に挿入し、かつ被支持溝の係止突部に係止して建具体を側面板に対して動かないように支持する第２の姿勢とに亘って回転移動できるように取付け、
前記縦ガイドは、この横向き溝部に一方の縦の枠材が押しつけられることで弾性変形し、その弾性復元力でフックの幅広部が前記被支持溝の係止突部に押しつけられるようにしたことを特徴とするパレット装置である。
【０００８】
本発明のパレット装置においては、上向き溝部と横向き溝部をほぼＶ字形状としたものにできる。
このようにすれば、下の枠材、一方の縦の枠材の幅が異なる場合でも上向き溝部、横向き溝部に嵌め合わせることができるし、各枠材の幅中心と上向き溝部、横向き溝部の溝幅中心を合せることができる。
【００１０】
本発明のパレット装置においては、フックが第２の姿勢の時に、その幅広部が一方の縦の枠材の被支持溝の２つの内面に接して第２の姿勢で保持するようにできる。
このようにすれば、振動などでフックが第１の位置に回転移動することがない。
【発明の効果】
【００１１】
本発明によれば、建具体の下の枠材を横ガイドの上向き溝部で支持すると共に、その建具体の一方の縦の枠材を固定冶具で側面板に支持して建具体を縦向き姿勢として載置するので、大きさの異なる建具体を縦向き姿勢で載置できる。
また、建具体の一方の縦の枠材の被支持溝内に固定冶具のフックを挿入し、そのフックを係止突部に係止して支持するので、建具体の枠材が変形しない。
また、枠材の被支持部は被支持溝内の係止突部であるから、その被支持部である係止突部に傷が発生しても外部から見えることがなく、枠材の被支持部に傷が発生する心配をしなくとも良い。
また、横ガイドと縦ガイドと側面板と固定冶具から構成され、その横ガイド、固定冶具はほとんど見えないので、外観の見栄えが良いし、部品点数が少なく組立作業性が良い。
また、縦ガイドの横向き溝部に、一方の縦の枠材が嵌め合うことで、その被支持溝と固定冶具が位置合せできるから、被支持溝内に固定冶具を確実に挿入することができる。
また、縦ガイドの弾性復元力でフックの幅広部が被支持溝の係止突部に押しつけられるので、建具体を見付け方向に動かないように側面板に支持できる。
【発明を実施するための最良の形態】
【００１２】
本発明のパレット装置は図１〜図３に示すように、架台１と、この架台１に設けた横ガイド２と、前記架台１に設けた側板３と、この側板３に設けた固定冶具４と、前記側面板３に設けた縦ガイド５を備えている。
前記パレット装置に載置される建具体６は、上の枠材６ａと下の枠材６ｂと左右の縦の枠材６ｃを方形状に連結した枠体６ｄに図示しないパネル体を装着したものである。この実施の形態では網戸としてある。
前記架台１は所定の幅と長さと高さを有した矩形板状で、この架台１の幅方向一端部に側面板３が設けてあり、この側面板３の側面３ａと架台１の上面１ａとはほぼＬ字形状、好ましくは直角である。
図３においては建具体６を実線で図示してあるが、図１では左右の縦の枠材６ｃを実線で示し、他の部分は仮想線としてあり、図２では上下の枠材６ａ，６ｄを実線で示し、他の部分は仮想線としてある。
【００１３】
前記横ガイド２は架台１の上面１ａに設けられ、その架台１の幅方向に向う、つまり前記側面板３の側面３ａに向う上向き溝部２ａを架台１（側面板３）の長手方向に間隔を置いて複数有している。
この１つの上向き溝部２ａに枠体６ｄの下の枠材６ｂがスライド自在に嵌り合い、建具体６は縦向き姿勢で一つの上向き溝部２ａに沿って側面板３の側面３ａに向けて真直ぐにスライド可能である。
この実施の形態では、幅狭で上向き溝部２ａを長手方向に間隔を置いて複数有した長尺体２０を架台１の上面１ａに幅方向に間隔を置いて取付けて横ガイド２としてあるが、幅広で上向き溝部２ａを長手方向に間隔を置いて複数有した長尺体を架台１の上面１ａに幅方向全域に亘って取付けて横ガイド２としても良い。
また、架台１の上面１ａに上向き溝部２ａを前述のように形成して横ガイド２としても良い。
【００１４】
前記固定冶具４は前記横ガイド２の各上向き溝部２ａと側面板２の長手方向にほぼ同一位置としてそれぞれ側面板３に取付けてある。
この固定冶具４は、前記建具体６の枠体６ｄにおける一方の縦の枠材６ｃの側面に開口した被支持溝７内に挿入、抜け出し可能な第１の姿勢と、前記被支持溝７内に係止されて建具体２を側面板３に対して架台１の長手方向、幅方向に動くことがないように縦向き姿勢で支持する第２の姿勢とに亘って移動自在である。
この実施の形態では、側面板３の上、下寄りに固定具４がそれぞれ取付けてあるが、固定治具４は上下方向に１つでも良いし、３つ以上取付けても良い。
【００１５】
前記縦ガイド５は側面板３の側面３ａに設けられ、その側面板３の上下方向に向う横向き溝部５ａを側面板３の長手方向（架台１の長手方向）に間隔を置いて複数有している。
この横向き溝部５ａの長手方向の間隔は上向き溝部２ａの長手方向の間隔と同一で、かつ長手方向に同一位置としてある。
この実施の形態では枠体６ｄの下の枠材６ｂと縦の枠材６ｃの幅（見込み寸法）が同一であるから、上向き溝部２ａと横向き溝部５ａは同一溝幅である。
なお、下の枠材６ｂと縦の枠材６ｃの幅が異なる場合には、上向き溝部２ａと横向き溝部５ａの幅をそれぞれの枠材の幅に合せれば良い。
すなわち、上向き溝部２ａと横向溝部５ａの溝幅中心を同一とすれば良い。
【００１６】
前記横向き溝部５ａの溝幅中心に固定冶具４が位置させてあり、建具体６の一方の縦の枠材６ｃが横向き溝部５ａに嵌り合うことで、その一方の縦の枠材６ｃの被支持溝７内に固定冶具４が入り込むようにしてある。
【００１７】
この実施の形態では、上下寸法が小さく横向き溝部５ａを長手方向に間隔を置いて複数有した長尺体５０を側面板３の側面３ａに上下方向に間隔を置いて取付けて縦ガイド５としてあるが、上下寸法が大きく横向き溝部５ａを長手方向に間隔を置いて複数有した長尺体を側面体３の側面３ａに上下方向全域に亘って取付けて縦ガイド５としても良い。
また、側面板３の側面３ａに横向き溝部５ａに前述のように形成して縦ガイド部５としても良い。
【００１８】
次に、建具体６を載置する動作を説明する。
建具体６を縦向き姿勢として下の枠材６ｂを１つの上向き溝部２ａに嵌め合せる。
前記下の枠材６ｂを上向き溝部２ａに沿ってスライドすることで建具体６を側面板３の側面３ａに向けて移動し、一方の縦の枠材６ｃを横向き溝部５ａに嵌め合せ、その一方の縦の枠材６ｃの被支持溝７内に固定冶具４を挿入する。
前記固定冶具４を第２の姿勢に移動して被支持溝７内に係止し、建具体２を側面板３に対して架台１の長手方向、幅方向、つまり建具体２の見込み方向、見付け方向に動くことがないように支持する。
これによって、建具体６は縦向き姿勢で載置される。
【００１９】
また、図３に示すように見付け寸法Ｌ１，Ｌ２，Ｌ３と高さ寸法Ｈ１，Ｈ２，Ｈ３が異なる大きさの異なる第１、第２、第３の建具体６−１，６−２，６−３を同時に載置することができる。
【００２０】
この実施の形態では、前記上向き溝部２ａ、横向き溝部５ａは開口側の溝幅が広いほぼＶ字形状としてある。
これによって、幅が異なる下の枠材６ｂ、縦の枠材６ｃを嵌め合せることができると共に、枠材６ｂ，６ｃの幅中心に（建具体６の幅中心）を上向き溝部２ａ、横向き溝部５ａの溝幅中心に合致させることができる。
【００２１】
前記各部材の具体形状を説明する。
前記架台１はフォークリフトのフォークが挿入するフォーク挿入用の空間部１０を有し、フォークリフトで運搬できるようにしてある。
前記架台１の幅方向両端部における長手方向両端寄りに支柱１１がそれぞれ設けてある。
この支柱１１は着脱自在又は折り畳み自在である。
前記側面板３は、下部縦板３０と上部縦板３１をヒンジ３２で折り畳み自在に連結したもので、その下部縦板３０が架台１に取付金具３３で固定してある。
これによって、パレット装置を使用しない時には上部縦板３１を下方に回動して折り畳むことで側面板３を低くできる。
【００２２】
前記固定具４は図４に示すように、フック４０を備えている。このフック４０は先端部に幅広部４０ａを有したほぼＴ字形状で、このフック４０の基端部４０ｂが側面板３の取付用の孔４１内に側面３ａの方向から挿入されて側面板３の側面３ａと反対側の面３ｂから突出し、その突出部の孔４２にＲ型のピン４３を挿入してワッシャ４４を側面板３の側面３ａ、反対側の面３ｂに接し、フック４０を側面板３に回転自在に取付ける。
前記縦ガイド５は弾性を有する材質である。
前記一方の縦の枠材６ｃの被支持溝７は、見込み方向に相対向した２つの内面２ｂの少なくとも一方に係止突部２ａを有する。この実施の形態では２つの内面２ｂに係止突部２ａを対向して有し、被支持溝７にほぼあり溝形状である。
【００２３】
図４における左側２つのフック４０は、その先端部の幅広部４０ａが上下方向に向い、縦の枠材６ｃの被支持溝７内に挿入可能な第１の姿勢としてある。
そして、図４の左から２番目のように建具体６を側面板３の側面３ａに向けて移動して縦の枠材６ｃを縦ガイド５の横向き溝部５ａに押しつけることで被支持溝７内にフック４０を挿入する。
この時に、建具対６を強い力で移動して縦の枠材６ｃを横向き溝部５ａに押しつけて縦ガイド５を弾性圧縮変形成させ、フック４０の幅広部４０ａが被支持溝７の係止突部７ａよりも溝内に入り込むようにする。
【００２４】
前述の状態でフック４０を図４の右側２つのように９０度回転して幅広部４０ａが被支持溝７の係止突部７ａに係止した第２の姿勢とする。
これによって、縦ガイド５の弾性復元力で幅広部４０ａが被支持溝７の係止突部７ａに強く押しつけられ建具体６が見付け方向に動かないように側面板３に支持される。
また、フック４０の幅広部４０ａが被支持溝７の２つの内面７ｂに接することでフック４０の回転抵抗を大きくし、フック４０が振動などで前述の第１の位置に回転しないようにロックする。
この状態において、フック４０に強い回転力を作用すれば回転して第１の位置とすることができる。この場合には、フック４０を弾性変形し易いものとすることが好ましい。
【００２５】
前述の実施の形態では、縦ガイド５を弾性を有するものとしたが、弾性を有しない縦ガイド５としても良い。
また、縦ガイド５を用いずに、一方の縦の枠材６ｃを側面板３の側面３ａに接するように固定冶具４で支持するようにしても良い。
【００２６】
また、建具体６を縦長の縦向き姿勢として載置したが、横長の縦向き姿勢として載置するようにしても良い。
この場合には側面板３を架台１の長手方向一端部に取付け、溝ガイド２の上向き溝部２ａ、縦ガイド５の横向き溝部５ａを架台１の長手方向に向うと共に、架台１の幅方向に間隔を置いて複数有するものとする。
つまり、横ガイド２の上向き溝部２ａは側面板３の側面３ａに向うと共に、側面板３の長手方向に間隔を置いて複数有するものとし、縦ガイド５の横向き溝部５ａを上向き溝部２ａと相対向するものとすれば良い。
また、図３に示した建具体６の縦の材枠６ｃが上向き溝部２ａに嵌まり合い、上の枠材６ａ又は下の枠材６ｂが被支持溝７を有し、その被支持溝７に固定治具４が挿入して係止する。つまり、前述の説明における縦の枠材とは建具体６をパレット装置に載置した時に側面板３の側面３ａと対向するものである。
【図面の簡単な説明】
【００２７】
【図１】本発明の実施の形態を示すパレット装置の平面図である。
【図２】本発明の実施の形態を示すパレット装置の正面図である。
【図３】本発明の実施の形態を示すパレット装置の側面図である。
【図４】図１のＡ部拡大図である。
【符号の説明】
【００２８】
１…架台、１ａ…上面、２…横ガイド、２ａ…上向き溝部、３…側面板、３ａ…側面、４…固定冶具、５…縦ガイド、５ａ…横向き溝部、６…建具体、６ｂ…下の枠材、６ｃ…縦の枠材、６ｄ…枠体、７…被支持溝、７ａ…係止突部、７ｂ…内面、４０…フック、４０ａ…幅広部。
【図１】
0004895129.tif 000002
【図２】
0004895129.tif 000003
【図３】
0004895129.tif 000004
【図４】
0004895129.tif 000005